(57)【要約】【課題】構造が簡単であり、小径ディスク（８ｃｍＣＤ）を十分に取り出し易い位置まで排出できるスロットイン方式のローディング装置を提供する。【解決手段】送りローラ支持アーム２に送りローラを回転自在に支持させ、前記送りローラ支持アーム２を付勢して前記送りローラとディスクガイド１とでディスク挿入口から差し込まれたディスクを挾持し、前記送りローラを回転駆動することによりディスクをクランプ位置まで送るローディング装置において、前記送りローラをディスク送り方向前後に配置した第１の送りローラ３と第２の送りローラ４とで構成した。【選択図】        図１
2005346857.tif 000002
【特許請求の範囲】
【請求項１】
送りローラ支持アームに送りローラを回転自在に支持させ、前記送りローラ支持アームを付勢して前記送りローラとディスクガイドとでディスク挿入口から差し込まれたディスクを挾持し、前記送りローラを回転駆動することによりディスクをクランプ位置まで送るローディング装置において、前記送りローラをディスク送り方向前後に配置した第１の送りローラと第２の送りローラとで構成したことを特徴とするスロットイン方式のローディング装置。
【請求項２】
大径ディスクと小径ディスクをローディングする請求項１のスロットイン方式のローディング装置。
【請求項３】
前記第１の送りローラと第２の送りローラの夫々の軸に固着されたギヤが前記送りローラ支持アームに回転自在に支持された中間ギヤと噛み合う請求項１または２のスロットイン方式のローディング装置。
【発明の詳細な説明】
【技術分野】
【０００１】
この発明はディスク再生装置に係わり、特に、そのローディング装置に関する。
【背景技術】
【０００２】
従来の光ディスク再生装置のスロットイン方式のローディング装置の例を図３および図４により説明する。図３は従来のスロットイン方式のローディング装置の例の要部を示す分解斜視図、図４は同ローディング装置の要部を一部部材を除いて示す側面図である。
【０００３】
このローディング装置は、光ディスクを図示していない挿入口から差し込むと、光ディスクがディスクガイド１と送りローラ１６とで挾持され、送りローラ１６の回転により光ディスクを図示していない再生ユニットのクランプ位置まで送り込むものである。
【０００４】
図に示すディスクガイド１は図示していないシャーシに固定されており、送りローラ１６と対向する面は滑らかなディスクガイド面となっている。送りローラ支持アーム１５はそれに立設された軸１５ａ、１５ａがディスクガイド１に設けられた穴と嵌合してディスクガイド１に回動自在に支持されている。
【０００５】
送りローラ１６はローラ軸１６ａと一体となっており、ローラ軸１６ａは送りローラ支持アーム１５に固定された軸受１０、１０に回転自在に支持されている。ローラ軸１６ａにはギヤ６（図４には図示していない）が固着されている。
【０００６】
送りローラ支持アーム１５とディスクガイド１との間に掛けられた引張りコイルばね１１、１１は送りローラ支持アーム１５を付勢して送りローラ１６を差し込まれた光ディスクに圧接する。スライダ５はシャーシに摺動自在に支持されており、図示していない駆動機構により図示のＡ−Ｂ方向に駆動される。
【０００７】
スライダ５がＢ方向に駆動されると、スライダ５のカム５ａが送りローラ支持アーム１５の軸１５ｂを押し下げて送りローラ支持アーム１５を回動させて送りローラ１６を光ディスクから引き離す。スライダ５がＡ方向に移動しているときは、送りローラ支持アーム１５は上方向に回動しているが、そのときローラ軸１６ａに固着されたギヤ６は駆動ギヤ８と噛み合っている。
【０００８】
駆動ギヤ８には図示していないモータの回転が図示していないギヤにより伝えられ、送りローラ１６は光ディスクをローディング方向（ターンテーブル方向）またはアンローディング方向（排出方向）に送る。
【０００９】
光ディスクをローディングする場合は小径ディスクまたは大径ディスクを夫々の位置決め部材に当接するまで送った後、送りローラ１６の回転が停止され、送りローラ１６は光ディスクから離される。
【００１０】
特許第３１４８５２２号公報に提案された記録媒体移送装置は、記録媒体を送りローラ６ａ、７ａ、８ａ、８ｂと押出しアーム３０、３４とによって送る。
【特許文献１】特許第３１４８５２２号公報、第３〜５頁、図１〜図３
【発明の開示】
【発明が解決しようとする課題】
【００１１】
上記した図３および図４に示す従来のスロットイン方式のローディング装置では、送りローラ１６により光ディスクをクランプ位置まで送らなければならない。そのため、小径ディスク（８ｃｍＣＤ）を送り込むためには送りローラ１６をターンテーブルに近い位置に配置する必要がある。すなわち、送りローラ１６は装置の奥側に配置しなければならない。
【００１２】
このように送りローラ１６を装置の奥側に配置すると、小径ディスクを排出するときに挿入口から十分に突出する位置まで排出することができず、小径ディスクの信号面を掴んで取り出さなければならなかった。このためディスクの信号面を汚したり傷を付けたりして再生不良を起こす原因となっていた。
【００１３】
特許第３１４８５２２号公報に提案された記録媒体移送装置は、押出しアームを上下方向および前後方向に送る機構が必要であり、構造が複雑となっていた。また、円盤状の光ディスク単体を送ることができなかった。
【００１４】
この発明は上記した点に鑑みてなされたものであって、その目的とするところは、構造が簡単であり、小径ディスク（８ｃｍＣＤ）を十分に取り出し易い位置まで排出できるスロットイン方式のローディング装置を提供することにある。
【課題を解決するための手段】
【００１５】
この発明のスロットイン方式のローディング装置は、送りローラ支持アームに送りローラを回転自在に支持させ、前記送りローラ支持アームを付勢して前記送りローラとディスクガイドとでディスク挿入口から差し込まれたディスクを挾持し、前記送りローラを回転駆動することによりディスクをクランプ位置まで送るローディング装置において、前記送りローラをディスク送り方向前後に配置した第１の送りローラと第２の送りローラとで構成したものである。
【００１６】
また、前記ローディング装置において、大径ディスクと小径ディスクをローディングするものである。
【００１７】
また、前記各ローディング装置において、前記第１の送りローラと第２の送りローラの夫々の軸に固着されたギヤが前記送りローラ支持アームに回転自在に支持された中間ギヤと噛み合うものである。
【発明の効果】
【００１８】
この発明のスロットイン方式のローディング装置によれば、従来のディスク送りローラのみでディスクを排出するものに比べ、ディスクを挿入口から大きく排出できるので、ディスクのセンター穴に指を入れたり、ディスクの外周部分を押さえたりして容易にディスクを取り出すことができ、特に、小径ディスク（８ｃｍＣＤ）のディスクの信号面を汚したり傷を付けたりして再生不良を起こすことがなくなる。
【発明を実施するための最良の形態】
【００１９】
以下この発明を実施するための最良の形態を実施例に即して説明する。
【実施例１】
【００２０】
図１はこの発明の実施例１であるスロットイン方式のローディング装置の要部を示す分解斜視図、図２は同ローディング装置の要部を一部部材を除いて示す側面図である。
【００２１】
実施例１のローディング装置は、光ディスクを図示していない挿入口から差し込むと、光ディスクがディスクガイド１と第１の送りローラ３とで挾持され、光ディスクがローディング方向に送られる。光ディスクが装置内部に送り込まれるとさらに第２の送りローラ４で挾持されこれらの送りローラの回転により光ディスクを図示していない再生ユニットのクランプ位置まで送り込む。
【００２２】
図に示すディスクガイド１は図示していないシャーシに固定されており、第１の送りローラ３および第２の送りローラ４と対向する面は滑らかなディスクガイド面となっている。送りローラ支持アーム２はそれに立設された軸２ａ、２ａがディスクガイド１に設けられた穴と嵌合してディスクガイド１に回動自在に支持されている。
【００２３】
第１の送りローラ３はローラ軸３ａと一体となっており、第２の送りローラ４はローラ軸４ａと一体となっている。ローラ軸３ａおよびローラ軸４ａは送りローラ支持アーム２に固定された軸受１０、１０、…に回転自在に支持されている。
【００２４】
ローラ軸３ａおよび４ａには夫々ギヤ６、６（図２には図示していない）が固着されている。送りローラ支持アーム２に立設された軸２ｃに回転自在に支持された中間ギヤ７は夫々ギヤ６、６と噛み合っている。
【００２５】
送りローラ支持アーム２とディスクガイド１との間に掛けられた引張りコイルばね１１、１１は送りローラ支持アーム２を付勢して第１の送りローラ３および第２の送りローラ４を差し込まれた光ディスクに圧接する。スライダ５はシャーシに摺動自在に支持されており、図示していない駆動機構により図示のＡ−Ｂ方向に駆動される。
【００２６】
スライダ５がＢ方向に駆動されると、スライダ５のカム５ａが送りローラ支持アーム２の軸２ｂを押し下げてローラ支持アーム２を回動させて送りローラ１６を光ディスクから引き離す。スライダ５がＡ方向に移動しているときは、送りローラ支持アーム２は上方向に回動しているが、そのとき第２の送りローラ４に固着されたローラ軸４ａに固着されたギヤ６は駆動ギヤ８と噛み合っている。
【００２７】
駆動ギヤ８には図示していないモータの回転が図示していないギヤにより伝えられ、第１の送りローラ３および第２の送りローラ４は光ディスクをローディング方向（ターンテーブル方向）またはアンローディング方向（排出方向）に送る。
【００２８】
光ディスクをローディングする場合は小径ディスクまたは大径ディスクを夫々の位置決め部材に当接するまで送った後、第１の送りローラ３および第２の送りローラ４の回転が停止され、第１の送りローラ３および第２の送りローラ４は光ディスクから離される。
【００２９】
上記構成において、小径ディスクをローディングするときは、第２の送りローラ４で小径ディスクをターンテーブルの中心まで送ることができる。そして、第１の送りローラ３で小径ディスクをディスク挿入口から突出する位置まで排出できる。
【００３０】
第１の送りローラ３はディスク挿入口近傍に配置できるので、小径ディスクをディスク挿入口から十分に排出させることができ、ディスク周辺を押さえることにより取り出し可能となり、ディスクの信号面を汚したり傷を付けたりすることが防止できる。
【図面の簡単な説明】
【００３１】
【図１】この発明の実施例１であるスロットイン方式のローディング装置の要部を示す分解斜視図である。
【図２】同ローディング装置の要部を一部部材を除いて示す側面図である。
【図３】従来のスロットイン方式のローディング装置の例の要部を示す分解斜視図である。
【図４】同ローディング装置の要部を一部部材を除いて示す側面図である。
【符号の説明】
【００３２】
１  ディスクガイド
２  送りローラ支持アーム、２ａ、２ｂ、２ｃ  軸
３  第１の送りローラ、３ａ  ローラ軸
４  第２の送りローラ、４ａ  ローラ軸
５  スライダ、５ａ  カム
６  ギヤ
７  中間ギヤ
８  駆動ギヤ
１０  軸受
１１  引張りコイルばね
１５  送りローラ支持アーム、１５ａ、１５ｂ  軸
１６  送りローラ、１６ａ  ローラ軸
【図１】
2005346857.tif 000003
【図２】
2005346857.tif 000004
【図３】
2005346857.tif 000005
【図４】
2005346857.tif 000006